(57)【要約】【課題】本発明は、魚釣用リールの固定位置をグリップ部の左右方向に任意に変更することができ、使い易い釣竿を得ることにある。【解決手段】側壁(5a, 5b)を有するリール本体(3)と、側壁(5a, 5b)の間に支持されたスプール(4)とを備える魚釣用リール(1)と組み合わせて使用する釣竿(2)であり、釣竿(2)は元竿管(20)の手元側に位置するグリップ部(25)と、グリップ部(25)から元竿管(20)に向けて突出し、魚釣用リール(1)を固定するリールシート(26)とを備える。リールシート(26)は、リール本体(3)の側壁(5a, 5b)の間に介在されるシート本体(29)を含む。シート本体(29)はリール本体(3)の一方の側壁(5a)と向かい合う側面(31)を有し、この側面(31)とリール本体(3)の側壁(5a)との間にスペーサ(36)を選択的に取り外し可能に介在させ、シート本体(29)の側面(31)とリール本体(3)の側壁(5a)との間を魚釣用リール(1)の側方から締め付け部材(41)を介して互いに連結することで、魚釣用リール(1)をリールシート(26)に固定する。【選択図】      図８
2008187915.tif 000002
【特許請求の範囲】
【請求項１】
左右の側壁を有するリール本体と、上記側壁の間に回転自在に支持されたスプールと、を備える魚釣用リールと組み合わせて使用する釣竿であって、
元竿管の手元側に位置するグリップ部と、
上記グリップ部の前端から上記元竿管に向けて突出し、上記魚釣用リールを固定するリールシートと、を具備し、
上記リールシートは、上記リール本体の側壁の間に介在されるシート本体を含み、このシート本体は、上記リール本体の一方の側壁と向かい合う側面を有し、このシート本体の側面と上記リール本体の側壁との間にスペーサを選択的に取り外し可能に介在させるとともに、上記シート本体の側面と上記リール本体の側壁との間を、上記魚釣用リールの側方から締め付け部材を介して互いに連結したことを特徴とする釣竿。
【請求項２】
請求項１の記載において、上記スペーサは、上記スプールの軸方向に沿う幅寸法が異なる複数の駒部材を含み、これら駒部材の中から選択された少なくとも一つの駒部材が上記シート本体の側面と上記リール本体の側壁との間に介在されることを特徴とする釣竿。
【請求項３】
請求項１の記載において、上記締め付け部材は、上記リール本体の側壁を貫通するねじであり、上記リールシートのシート本体は、上記側面に開口するねじ孔を有するとともに、上記スペーサは上記ねじ孔に合致する貫通孔を有し、上記側壁および上記スペーサの貫通孔を貫通したねじを上記ねじ孔にねじ込むことで、上記魚釣用リールが上記リールシートに固定されることを特徴とする釣竿。
【請求項４】
請求項１の記載において、上記リールシートのシート本体は、上記リールシートに上記スペーサを介して上記魚釣用リールを固定した時に、上記リール本体の側壁の間の中央に位置することを特徴とする釣竿。
【請求項５】
請求項１の記載において、上記魚釣用リールは、釣糸を巻き取る方向に上記スプールを回転させるハンドルを有し、このハンドルは、上記リール本体に対し上記スプール軸の軸方向に変位した位置に設けられるとともに、
上記リールシートのシート本体は、上記リールシートに上記スペーサを介して上記魚釣用リールを固定した時に、上記側壁の間の中央よりも上記ハンドルの方向に偏って位置することを特徴とする釣竿。
【発明の詳細な説明】
【技術分野】
【０００１】
本発明は、両軸受リールと組み合わせて使用する釣竿に係り、特に両軸受リールを釣竿のリールシートに固定する構造に関する。
【背景技術】
【０００２】
両軸受リールと組み合わせて使用する釣竿は、元竿管の手元側に両軸受リールを固定するためのリールシートを備えている。
【０００３】
特許文献１に開示された釣竿は、リールシートの前端部に固定環を有するとともに、リールシートの後端部に可動環を有している。可動環は、締め付けリングを回転させることにより固定環に近づく方向に移動し、これにより、固定環との間で両軸受リールのリール脚を釣竿の軸長方向に挟み込んで、両軸受リ−ルをリールシートの上に固定している。
【特許文献１】実開昭６１−１６５１６９号公報
【発明の開示】
【発明が解決しようとする課題】
【０００４】
特許文献１の釣竿によると、両軸受リールのリール脚は、固定環および可動環を介してリールシートの上面に押し付けられるので、釣竿に対する両軸受リールの位置が固定的に定まっている。
【０００５】
このため、両軸受リールの固定位置を釣竿の軸長方向と直交する横方向に任意に変更することができない。したがって、従来の釣竿では、例えばパーミング性を高めたいという釣人の要求に細かく対応することが困難となり、この点において今一歩改善の余地が残されている。
【０００６】
本発明の目的は、魚釣用リールの固定位置をグリップ部の左右方向に任意に変更することができ、例えばパーミング性あるいはサミング性に優れた使い易い釣竿を得ることにある。
【課題を解決するための手段】
【０００７】
上記目的を達成するため、本発明の一つの形態に係る釣竿は、  
左右の側壁を有するリール本体と、上記側壁の間に回転自在に支持されたスプールと、を備える魚釣用リールと組み合わせて使用する釣竿であって、  
この釣竿は、元竿管の手元側に位置するグリップ部と、上記グリップ部の前端から上記元竿管に向けて突出し、上記魚釣用リールを固定するためのリールシートと、を備えている。  
上記リールシートは、上記リール本体の側壁の間に介在されるシート本体を含んでいる。このシート本体は、上記リール本体の一方の側壁と向かい合う側面を有し、このシート本体の側面と上記リール本体の側壁との間にスペーサを選択的に取り外し可能に介在させるとともに、上記シート本体の側面と上記リール本体の側壁との間を、上記魚釣用リールの側方から締め付け部材を介して互いに連結したことを特徴としている。
【発明の効果】
【０００８】
本発明によれば、スペーサを選択的に用いることで、リールシートに対する魚釣用リールの固定位置を、例えば釣人の好みに応じてグリップ部の左右方向に任意にずらすことができる。このため、グリップ部を握った手の指で魚釣用リールやリールシートを確実に保持することができ、パーミング性あるいはサミング性に優れた使い易い釣竿を提供することができる。
【発明を実施するための最良の形態】
【０００９】
以下本発明の実施の形態を図面に基づいて説明する。
【００１０】
図１および図２は、例えば両軸受リール１と組み合わせて使用するルアーフィッシング用の釣竿２を開示している。
【００１１】
両軸受リール１は、魚釣用リールの一例であり、図６ないし図９に示すように、金属製のリール本体３とスプール４とを備えている。リール本体３は、左右一対の側壁５ａ，５ｂおよびブリッジ部６を有している。
【００１２】
側壁５ａ，５ｂは、円盤状をなすとともに、両軸受リール１の幅方向に間隔を存して向かい合っている。ブリッジ部６は、側壁５ａ，５ｂの下端部の間に跨って、これら側壁５ａ，５ｂを一体的に連結している。ブリッジ部６の下面６ａは、水平な平面となっている。
【００１３】
スプール４は、図示しないスプール軸を介して左右の側壁５ａ，５ｂの間に回転自在に支持されている。スプール軸の一端は、左側の側壁５ａに軸受を介して支持されているとともに、スプール軸の他端は、右側の側壁５ｂに軸受を介して支持されている。スプール４は、釣糸７を巻き付ける巻胴部８を有し、この巻胴部８をスプール軸が同軸状に貫通している。
【００１４】
スプール軸の他端は、クラッチを有する公知の回転力伝達手段を介してハンドル９に接続されている。ハンドル９は、釣糸７をスプール４に巻き取る際に手で操作するもので、図示しないハンドル軸を介してリール本体３の右側の側壁５ｂに支持されている。このため、ハンドル９は、リール本体３に対してスプール４の軸方向に沿う右側に変位した位置に設けられている。
【００１５】
上記クラッチは、釣人が操作レバーを操作することでＯＮ位置とＯＦＦ位置とに切り換えが可能となっている。ＯＮ位置では、ハンドル９とスプール軸との間が機械的に結合されて、ハンドル９に入力された回転力がスプール軸に伝わり、釣糸７を巻き取る方向にスプール４を回転させることができる。ＯＦＦ位置では、ハンドル９とスプール軸との結合が解除されて、スプール４が自由に回転し得る状態に移行し、スプール４からの釣糸７の繰り出しが可能となる。
【００１６】
図８に示すように、リール本体３の側壁５ａ，５ｂの下端部は、夫々ブリッジ部６の下面６ａよりも下方に向けて円弧状に張り出す突出部１１を有している。左側の側壁５ａの突出部１１に、右側の側壁５ｂに向けて突出する取り付け座１２が形成されている。取り付け座１２は、側壁５ａおよびブリッジ部６と一体化されている。
【００１７】
取り付け座１２は、リール本体３の前後方向に延びる支持面１３を有している。支持面１３は、ブリッジ部６の下面６ａと直交し合う垂直な平面であり、右側の側壁５ｂの突出部１１と向かい合っている。
【００１８】
図６および図８に示すように、取り付け座１２に一対のねじ挿通孔１４が形成されている。ねじ挿通孔１４は、スプール４の軸方向に延びるとともに、リール本体３の前後方向に間隔を存して互いに平行に配置されている。ねじ挿通孔１４は、左側の側壁５ａの突出部１１および取り付け座１２を貫通するとともに、この突出部１１の外面および取り付け座１２の支持面１３に夫々開口している。
【００１９】
リール本体３の左側の側壁５ａに第１のサイドカバー１６が取り外し可能に固定されている。第１のサイドカバー１６は、側壁５ａを両軸受リール１の左側方から覆っている。同様に、リール本体３の右側の側壁５ｂに第２のサイドカバー１７が取り外し可能に固定されている。第２のサイドカバー１７は、側壁５ｂを両軸受リール１の右側方から覆っている。
【００２０】
このような構成の両軸受リール１と組み合わされる釣竿２は、図１および図２に示すような元竿管２０および先側節２１を備えている。先側節２１は、先竿２２を有している。先竿２２の外周面に釣糸７をガイドする複数の釣糸ガイド２３が固定されている。釣糸ガイド２３は、先竿２２の後部からトップガイド２４に向けて間隔を存して一列に並んでいる。
【００２１】
元竿管２０の手元側の端部にグリップ部２５およびリールシート２６が取り付けられている。グリップ部２５は、例えば木材、金属材料あるいは発泡性樹脂材料で造られており、釣人が手で握り易いような形状に形成されている。
【００２２】
グリップ部２５にトリガー２７が一体に形成されている。トリガー２７は、図３に示すように釣竿２のグリップ部２５を片手で握った時に、このグリップ部２５を握った手の中指と薬指とで挟み込むためのものであり、グリップ部２５の前端の下面から下向きに突出している。
【００２３】
図６および図７に示すように、リールシート２６は、両軸受リール１を取り外し可能に固定するためのものであり、グリップ部２５の前端から元竿管２０に向けて突出している。本実施の形態のリールシート２６は、例えばアルミニウム合金のような金属材料で造られている。
【００２４】
リールシート２６は、竿連結部２８とシート本体２９とを備えている。竿連結部２８は、リールシート２６の前端部に位置している。竿連結部２８は中空の円筒状をなしており、この竿連結部２８に元竿管２０の後端部が例えば接着等の手段により固定されている。
【００２５】
シート本体２９は、竿連結部２８とグリップ部２５との間に位置している。シート本体２９は、リール本体３の左右の側壁５ａ，５ｂの間に介在されるように、その幅寸法Ｗが側壁５ａ，５ｂの配置間隔Ｌよりも幅狭く形成されている。
【００２６】
シート本体２９は、シート本体２９の上方に露出する上面３０と、シート本体２９の左側方に露出する第１の側面３１と、シート本体２９の右側方に露出する第２の側面３２とを有している。
【００２７】
上面３０は、リール本体３のブリッジ部６を下から受け止めるための水平な平面であり、元竿管２０の軸方向に延びる長方形状をなしている。第１の側面３１は、リール本体３の取り付け座１２の支持面１３と向かい合う垂直な平面であり、シート本体２９の上面３０と直交するように上面３０の左側縁から下向きに延びている。第２の側面３２は、右側の側壁５ｂの突出部１１と向かい合う垂直な平面であり、シート本体２９の上面３０と直交するように上面３０の右側縁から下向きに延びている。第１および第２の側面３１，３２は、夫々元竿管２０の軸方向に延びる長方形状をなしている。
【００２８】
さらに、シート本体２９のうち上面３０の反対側に位置する外周部分３３は、人差し指を掛け易いように、滑らかな円弧を描いて第１および第２の側面３１，３２に連続している。
【００２９】
図４および図５に示すように、シート本体２９に一対のねじ孔３４が形成されている。ねじ孔３４は、元竿管２０の軸方向と直交する方向に沿って水平に延びているとともに、互いに間隔を存して平行に配置されている。ねじ孔３４は、シート本体２９の第１および第２の側面３１，３２に開口している。ねじ孔３４の配置間隔は、リール本体３のねじ挿通孔１４の配置間隔と一致している。
【００３０】
そのため、両軸受リール１のリール本体３をシート本体２９の上面３０の決められた位置に載置すると、ねじ孔３４とねじ挿通孔１４とが互いに連通するようになっている。
【００３１】
なお、ねじ孔３４は必ずしも第２の側面３２に開口させる必要はなく、少なくとも第１の側面３１に開口していればよい。
【００３２】
図６、図８および図９に示すように、リール本体３の取り付け座１２とシート本体２９の第１の側面３１との間にスペーサ３６が介在されている。本実施の形態のスペーサ３６は、第１の駒部材３７ａと第２の駒部材３７ｂとを含んでいる。
【００３３】
第１および第２の駒部材３７ａ，３７ｂは、夫々一対の合面３８ａ，３８ｂおよび一対の貫通孔３９を有している。一方の合面３８ａは、取り付け座１２の支持面１３と向かい合う垂直な平面をなしている。他方の合面３８ｂは、シート本体２９の第１の側面３１と向かい合う垂直な平面をなしている。
【００３４】
貫通孔３９は、互いに間隔を存して平行に配置されており、上記一対の合面３８ａ，３８ｂに開口している。貫通孔３９の配置間隔は、リール本体３のねじ挿通孔１４の配置間隔およびシート本体２９のねじ孔３４の配置間隔と一致している。
【００３５】
さらに、第１の駒部材３７ａは、合面３８ａ，３８ｂの間に跨る幅寸法Ｌ１を有している。同様に、第２の駒部材３７ｂは、合面３８ａ，３８ｂの間に跨る幅寸法Ｌ２を有している。第１および第２の駒部材３７ａ，３７ｂの幅寸法Ｌ１，Ｌ２は、夫々スプール４の軸方向に沿っており、本実施の形態では、第２の駒部材３７ｂの幅寸法Ｌ２の方が第１の駒部材３７ａの幅寸法Ｌ１よりも大きくなっている。
【００３６】
両軸受リール１は、一対の固定ねじ４１を介してシート本体２９に固定されている。固定ねじ４１は、締め付け部材の一例であって、リール本体３の左側の側壁５ａを貫通してねじ孔３３に導かれている。
【００３７】
図８は、リール本体３の取り付け座１２とシート本体２９の第１の側面３１との間にスペーサ３６の第１の駒部材３７ａを介在させた状態で、両軸受リール１をリールシート２６に固定した状態を開示している。
【００３８】
固定ねじ４１は、両軸受リール１の左側からリール本体３のねじ挿通孔１４および第１の駒部材３７ａの貫通孔３９を貫通してねじ孔３４にねじ込まれている。このねじ込みにより、リール本体３の取り付け座１２の支持面１３が第１の駒部材３７ａの一方の合面３８ａに面接触するとともに、シート本体２９の第１の側面３１が第１の駒部材３７ａの他方の合面３８ｂに面接触する。したがって、第１の駒部材３７ａが取り付け座１２とシート本体２９との間で挟み込まれ、リールシート２６の左右方向および前後方向に対する両軸受リール１の位置が固定的に定まる。
【００３９】
図８に示すように、両軸受リール１を第１の駒部材３７ａを介してリールシート２６に固定した状態では、リールシート２６のシート本体２９がリール本体３の側壁５ａ，５ｂの間の中央に位置している。
【００４０】
そのため、釣竿２を軸方向から見た時に、スプール４の軸方向に沿う中心点Ｏ１がシート本体２９の略真上に位置している。よって、スプール４から釣糸７が繰り出される時、釣糸７は、釣竿２に対し左右にバランスのとれた位置からトップガイド２４に向けて繰り出されることになり、釣糸７の繰り出しおよび巻き取りを滑らかに行うことができる。
【００４１】
一方、図９は、リール本体３の取り付け座１２とシート本体２９の第１の側面３１との間にスペーサ３６の第２の駒部材３７ｂを介在させた状態で、両軸受リール１をリールシート２６に固定した状態を開示している。
【００４２】
固定ねじ４１は、両軸受リール１の左側からリール本体３のねじ挿通孔１４および第２の駒部材３７ｂの貫通孔３９を貫通してねじ孔３４にねじ込まれている。このねじ込みにより、リール本体３の取り付け座１２の支持面１３が第２の駒部材３７ｂの一方の合面３８ａに面接触するとともに、シート本体２９の第１の側面３１が第２の駒部材３７ｂの他方の合面３８ｂに面接触する。したがって、第２の駒部材３７ｂが取り付け座１２とシート本体２９との間で挟み込まれ、リールシート２６の左右方向および前後方向に対する両軸受リール１の位置が固定的に定まる。
【００４３】
図９に示すように、両軸受リール１を第２の駒部材３７ｂを介してリールシート２６に固定した状態では、リールシート２６のシート本体２９がリール本体３の側壁５ａ，５ｂの間の中央よりもハンドル９を有する右側の側壁５ｂの方向にずれている。これにより、両軸受リール１は、釣糸７を巻き取る際に釣人が操作するハンドル９の方向に偏った位置でリールシート２６に固定されている。
【００４４】
よって、スプール４からの釣糸７の繰り出し位置が釣竿２のトップガイド２４に対し左側に変位するものの、釣糸７を巻き取る際に操作するハンドル９から両軸受リール１の固定位置までの距離が短くなる。
【００４５】
この結果、例えばハンドル９を強い力で回転させたり、あるいはハンドル９を高速で回した時に、釣竿２がハンドル９を力の作用点として右回りに回転しようとするのを抑制できる。したがって、実際に釣りをしている時の釣竿２のぶれを防止できる。
【００４６】
なお、両軸受リール１を釣竿２のリールシート２６に固定した状態では、リール本体３のブリッジ部６の下面６ａがシート本体２９の上面３０に面接触した状態に保持されている。そのため、両軸受リール１のリール本体３は、シート本体２９の上面３０から第１の側面３１に跨るような姿勢でリールシート２６に固定されている。
【００４７】
固定ねじ４１をリール本体３のねじ挿通孔１４に挿通するに当っては、第１のサイドカバー１６を予めリール本体３の側壁５ａから取り外しておく。この第１のサイドカバー１６は、固定ねじ４１による両軸受リール１の固定が完了した後に側壁５ａに取り付けられる。これにより、固定ねじ４１の頭部４１ａが第１のサイドカバー１６によって覆い隠され、両軸受リール１の見栄えが良好となる。
【００４８】
このような構成の釣竿２によると、リール本体３の取り付け座１２とシート本体２９との間にスペーサ３６を介在させるに際して、第１の駒部材３７ａあるいは第２の駒部材３７ｂのいずれかを選択することで、リールシート２６に対する両軸受リール１の固定位置を、グリップ部２５の左右方向に任意にずらすことができる。
【００４９】
このため、釣人の好みや釣場の状況等に応じて両軸受リール１の固定位置を釣竿２の軸長方向に対し左右にオフセットすることができ、グリップ部２５を握った手の指で両軸受リール１やリールシート２６を確実に保持することができる。
【００５０】
よって、両軸受リール１を手で押え易くしたいといった釣人の要求に細かく対応することが可能となり、パーミング性あるいはサミング性に優れた使い易い釣竿２を提供することができる。
【００５１】
なお、本発明は上記実施の形態に特定されるものではなく、発明の主旨を逸脱しない範囲内で種々変形して実施可能である。
【００５２】
例えば上記実施の形態によると、両軸受リール１を釣竿２に固定した状態では、リール本体３の右側の側壁５ｂとシート本体２９の第２の側面３２との間に隙間が生じているが、この側壁５ｂと第２の側面３１との間に隙間を覆うカバー部材を介在させるようにしてもよい。
【００５３】
また、固定ねじ４１をリール本体３の左右の側壁５ａ，５ｂの間に架け渡し、固定ねじ４１を利用して側壁５ａ，５ｂを互いに連結するようにしてもよい。このような構成とすることで、リールシート２６に対する両軸受リール１の固定強度をより一層高めることができる。
【００５４】
さらに、スペーサとして大きさが異なる数多くの駒部材を準備し、複数の駒部材を組み合わせてリール本体の取り付け座とシート本体との間に介在させるようにしてもよい。この構成によれば、リールシートに対する両軸受リールの固定位置を多段階に亘って変化させることができ、例えばパーミング性を高めたいという釣人の要求により細かく対応することができる。
【００５５】
加えて、釣人の好み、あるいは釣場の状況によっては、リール本体の取り付け座とシート本体との間からスペーサを取り外し、取り付け座の支持面にシート本体の第１の側面を直接重ね合わせて固定してもよい。
【００５６】
このようにすると、リールシートのシート本体がリール本体の側壁の間の中央よりもハンドルとは反対側に位置する左側の側壁の方向にずれることになり、ハンドルがグリップ部から遠ざかる。このため、一方の手でグリップを把持して他方の手でハンドルを回転させる際に、ハンドルを回す手がグリップを把持した手に当たり難くなる。
【００５７】
よって、釣糸を巻き取る際の釣竿の操作性が良好となる。
【図面の簡単な説明】
【００５８】
【図１】本発明の実施の形態において、両軸受リールと組み合わせて使用する釣竿の側面図。
【図２】本発明の実施の形態において、両軸受リールと組み合わせて使用する釣竿の平面図。
【図３】本発明の実施の形態において、リールシートに両軸受リールを固定した状態を示す釣竿の側面図。
【図４】本発明の実施の形態に係る釣竿の平面図。
【図５】本発明の実施の形態に係る釣竿の側面図。
【図６】本発明の実施の形態において、両軸受リールとリールシートとの位置関係を示す釣竿の下面図。
【図７】本発明の実施の形態において、両軸受リールとリールシートとの連結部分を断面で示す釣竿の側面図。
【図８】本発明の実施の形態において、釣竿のリールシートと両軸受リールのリール本体とを第１の駒部材を間に挟んで互いに連結した状態を示す断面図。
【図９】本発明の実施の形態において、釣竿のリールシートと両軸受リールのリール本体とを第２の駒部材を間に挟んで互いに連結した状態を示す断面図。
【符号の説明】
【００５９】
１…魚釣用リール（両軸受リール）、３…リール本体、４…スプール、５ａ，５ｂ…側壁、２０…元竿管、２５…グリップ部、２６…リールシート、２９…シート本体、３１…側面（第１の側面）、３６…スペーサ。
【図１】
2008187915.tif 000003
【図２】
2008187915.tif 000004
【図３】
2008187915.tif 000005
【図４】
2008187915.tif 000006
【図５】
2008187915.tif 000007
【図６】
2008187915.tif 000008
【図７】
2008187915.tif 000009
【図８】
2008187915.tif 000010
【図９】
2008187915.tif 000011